(57)【特許請求の範囲】
【請求項１】
販売者サーバに保存され、通信ネットワークを介して該販売者サーバにアクセスして来た購入者端末器にダウンロードさせて選択操作させるための商品情報選択画面を編集する方法であって、
上記商品情報選択画面は、それぞれに商品情報を記した、複数のアイテムアイコンを配列した商品情報一覧表を含んでおり、
上記商品情報選択画面を、上記商品情報選択画面内のレイアウトを設計、変更する編集モードに設定し、上記複数のアイテムアイコンのいずれかを、ドラッグ・アンド・ドロップ操作によって、別のアイコンに重ね合わせ移動させたときには、それぞれのアイテムアイコンの表示位置を入替表示させるようにしたことを特徴とする、電子商取引における商品情報選択画面の編集方法。
【請求項２】
販売者サーバに保存され、通信ネットワークを介して該販売者サーバにアクセスして来た購入者端末器に商品情報選択画面をダウンロードによって閲覧表示させて、購入者の選択操作を受け付ける電子商取引システムであって、
上記商品情報選択画面は、それぞれに商品情報を記した、複数のアイテムアイコンを配列した商品情報一覧表を含み、上記商品情報選択画面内のレイアウトを設計、変更する編集モードによって編集が可能になっており、
上記編集モードでは、
上記複数のアイテムアイコンは、ドラッグ・アンド・ドロップ操作によって移動可能とされるとともに、ドラッグ・アンド・ドロップ操作によって、いずれかのアイコンを別のアイコンに重ね合わせ移動させたときには、それぞれのアイテムアイコンの表示位置を入替表示させるようにしたことを特徴とする、電子商取引システム。
【請求項３】
請求項１に記載の商品情報選択画面を編集するプログラムであって、
編集モード選択コマンドを受付けて、編集モードを起動するステップと、
ドラッグ・アンド・ドロップ操作によって、上記複数のアイテムアイコンのいずれかが、別のアイコンに重ね合わせ移動されたことを判別するステップと、
重ね合わせられた２つのアイテムアイコンの表示位置を入替表示するステップと、
確定コマンドを受け付けたときには、表示情報を保存するステップとを少なくとも備えている、電子商取引における商品選択画面の編集プログラム。
【請求項４】
請求項１に記載の商品情報選択画面を編集するプログラムであって、
編集モード選択コマンドを受付けて、編集モードを起動するステップと、
ドラッグ・アンド・ドロップ操作によって、上記複数のアイテムアイコンのいずれかが、別のアイコンに重ね合わせ移動されたことを判別するステップと、
２つのアイテムアイコンがドラッグ・アンド・ドロップ操作によって重ね合わせ移動された前あるいは後に入替コマンドの受け付けがあったときには、重ね合わせられた２つのアイテムアイコンの表示位置を入替表示するステップと、
確定コマンドを受け付けたときには、表示情報を保存するステップとを少なくとも備えている、電子商取引における商品情報選択画面の編集プログラム。
【請求項５】
販売者サーバに保存され、通信ネットワークを介して該販売者サーバにアクセスして来た購入者端末器にダウンロードさせて閲覧表示させるための商品情報選択画面を編集する方法であって、
上記商品情報選択画面は、複数の行、列を有し、行、列のそれぞれに、それぞれが複数の分類条件に区分される２つの属性を割り付けて、それらの２つの属性の組み合わせで特定される桝目を２次元マトリクス状に配列し、それぞれの桝目に商品情報を表示した商品一覧表を含んでおり、
上記商品情報選択画面を、上記商品情報選択画面内のレイアウトを設計、変更する編集モードに設定し、上記行、列のいずれかに割り付けた一方の属性を構成する分類条件のうちの１つの分類条件の行または列エリアを、ドラッグ・アンド・ドロップ操作によって、別の分類条件の行または列エリアに重ね合わせ移動させたときには、それぞれの分類条件に応じた複数商品の上記商品情報を、行または列エリア単位で入替表示させるようにしたことを特徴とする、電子商取引における商品情報選択画面の編集方法。
【請求項６】
販売者サーバに保存され、通信ネットワークを介して該販売者サーバにアクセスして来た購入者端末器に商品情報選択画面をダウンロードによって閲覧表示させて、購入者の選択操作を受け付ける電子商取引システムであって、
上記商品情報選択画面は、複数の行、列を有し、行、列のそれぞれに、それぞれが複数の分類条件に区分される２つの属性を割り付けて、それらの２つの属性の組み合わせで特定される桝目を２次元マトリクス状に配列し、それぞれの桝目に商品情報を表示した商品一覧表を含み、上記商品情報選択画面内のレイアウトを設計、変更する編集モードによって編集が可能になっており、
上記編集モードでは、
上記商品一覧表の、上記２つの属性のそれぞれを構成する分類条件で示される行または列エリアは、ドラッグ・アンド・ドロップ操作によって移動可能とされるとともに、上記商品情報選択画面内のレイアウトを設定、変更する編集モードに設定し、上記行、列のいずれかに割り付けた一方の属性を構成する分類条件のうちの１つの分類条件の行または列エリアを、ドラッグ・アンド・ドロップ操作によって、別の分類条件の行または列エリアに重ね合わせ移動させたときには、それぞれの分類条件に応じた複数商品の上記商品情報を、行または列エリア単位で入替表示させるようにしたことを特徴とする、電子商取引システム。
【発明の詳細な説明】
【技術分野】
【０００１】
本発明は、商品カテゴリ選択画面や、２次元マトリクスの桝目状の商品一覧表を有した商品選択画面などを有した電子商取引における商品情報選択画面の編集方法、その電子商取引システムおよび電子商取引における商品情報選択画面の編集プログラムに関するものである。
【背景技術】
【０００２】
近時のインターネットを利用した電子商取引システムには、販売する複数の商品を商品カテゴリに区分し、それらの商品カテゴリを配列した商品カテゴリ選択画面を購入者の通信端末機に表示させ、その画面でいずれかの商品カテゴリが選択されたときには、その商品カテゴリに対応した複数の関連商品を一覧表に示した商品選択画面を表示させて、購入者に商品を選択させるようにした構成のものがある。たとえば特許文献１には、２階層以上の商品カテゴリ選択画面を有したシステムが記載されている。
【０００３】
また、電子商取引システムには、実店舗の店頭の商品陳列棚に相当する商品選択画面の商品表示レイアウトの設計および商品情報の登録・変更と、商品カテゴリ選択画面のカテゴリ表示レイアウトの設計および商品カテゴリ情報の登録・変更とを、画面ごとに自由に行える購入者向け画面生成手段（プログラム）を有したバックオフィスシステムを併設しているものがある。特に、複数の店舗が販売者として加盟している電子モールシステムでは、汎用的なツールで構成された購入者向け画面生成手段が準備されていることが一般的である。
【０００４】
そのような画面生成手段によれば、新規の画面生成のみならず、商品間の売行き差などにもとづく商品レイアウトの変更も、画面上の対話形式の操作だけで簡易に行える。たとえば、そのような画面生成手段を利用すれば、洋菓子店において、夏場には商品カテゴリ画面上で目立たない位置に配置されていたチョコレートの商品カテゴリを、冬場に向けて目立つ位置に配置変更するレイアウト変更操作が、短時間で簡易に行える。
【特許文献１】特開２００７−２９３５７５号公報
【発明の開示】
【発明が解決しようとする課題】
【０００５】
しかしながら、先述の階層構造の画面構成を有した、多種多様の商品を取り扱う店舗は、多種、多階層の商品カテゴリ選択画面と、多数の商品選択画面とを備える必要があるため、上記のようなレイアウト変更も多岐にわたる場合があり、そのためレイアウト変更に長時間を必要とする場合がある。
【０００６】
また、対話形式による操作、特に表示画面に対するマウスによる操作では、ドラッグ・アンド・ドロップなどの操作を利用すればアイコンの位置変更が簡易に行える反面、上書き操作などによって誤ってアイコンデータを消失するなど、レイアウト変更途中の誤操作が誘発されることが多い。特に、電子店舗のレイアウト変更では、実店舗におけるレイアウト変更とは異なり、設計図面などを用意せずに試行錯誤で行うことが多いため、上記のようなミスは犯しやすい。
【０００７】
また、画面操作によって画面上のデータが上書きされることを禁止して、上書き動作に代えて挿入動作を採用することで、データ消失の可能性は減少するが、挿入の操作の場合、挿入先の位置の特定がしにくいため、ユーザが誤操作をするおそれがある。たとえば、Ａ、Ｂ、Ｃの順で配列されているアイテムアイコンを、Ｂ、Ａ、Ｃの順に並べ替える場合、Ａをマウスで特定し、ＢとＣの間に挿入しなければならないが、マウスでドロップすべき位置をＢとするのか、Ｃとするのか、あるいはＢとＣとの間の罫線であるのかは、操作者にはわかりづらく、そのためこのような挿入コピー操作は採用しがたい。
【０００８】
さらに、元の情報を複製して貼り付けるコピー・アンド・ペースト操作を採用することも想定できるが、商品カテゴリや商品を追加しないレイアウト変更の場合には、コピー・アンド・ペースト操作はほとんど役に立たない。
【０００９】
本発明は、このような事情を考慮して提案されたもので、その目的は、商品カテゴリ選択画面、商品選択画面などの商品情報選択画面のレイアウト変更が短時間で行え、かつレイアウト変更中のアイコンなどの表示データの消失などのミスを防止できる電子商取引における商品情報選択画面の編集方法、電子商取引システムおよび電子商取引における商品情報選択画面の編集プログラムを提供することにある。
【課題を解決するための手段】
【００１０】
上記目的を達成するために、本発明者は、商品カテゴリの入替を可能とした第１の本発明と、商品の入替を可能とした第２の本発明とを提案している。
【００１１】
第１の本発明である請求項１に記載の電子商取引システムにおける商品情報選択画面の編集方法は、販売者サーバに保存され、通信ネットワークを介して該販売者サーバにアクセスして来た購入者端末器にダウンロードさせて選択操作させるための商品情報選択画面を編集する方法であって、商品情報選択画面は、それぞれに商品情報を記した、複数のアイテムアイコンを配列した商品情報一覧表を含んでおり、商品情報選択画面を、商品情報選択画面内のレイアウトを設計、変更する編集モードに設定し、上記複数のアイテムアイコンのいずれかを、ドラッグ・アンド・ドロップ操作によって、別のアイコンに重ね合わせ移動させたときには、それぞれのアイテムアイコンの表示位置を入替表示させるようにしたことを特徴とする。
【００１３】
第１の本発明である請求項２に記載の電子商取引システムは、販売者サーバに保存され、通信ネットワークを介して該販売者サーバにアクセスして来た購入者端末器に商品情報選択画面をダウンロードによって閲覧表示させて、購入者の選択操作を受け付ける電子商取引システムであって、商品情報選択画面は、それぞれに商品情報を記した、複数のアイテムアイコンを配列した商品情報一覧表を含み、商品情報選択画面内のレイアウトを設計、変更する編集モードによって編集が可能になっており、編集モードでは、複数のアイテムアイコンは、ドラッグ・アンド・ドロップ操作によって移動可能とされるとともに、ドラッグ・アンド・ドロップ操作によって、いずれかのアイコンを別のアイコンに重ね合わせ移動させたときには、それぞれのアイテムアイコンの表示位置を入替表示させるようにしたことを特徴とする。
【００１４】
請求項３に記載の編集プログラムは、請求項１に記載の商品情報選択画面を編集するプログラムであって、編集モード選択コマンドを受付けて、編集モードを起動するステップと、ドラッグ・アンド・ドロップ操作によって、複数のアイテムアイコンのいずれかが、別のアイコンに重ね合わせ移動されたことを判別するステップと、重ね合わせられた２つのアイテムアイコンの表示位置を入替表示するステップと、確定コマンドを受け付けたときには、画面表示を保存するステップとを少なくとも備えている。
【００１５】
請求項４に記載の編集プログラムは、請求項１に記載の商品情報選択画面を編集するプログラムであって、編集モード選択コマンドを受付けて、編集モードを起動するステップと、ドラッグ・アンド・ドロップ操作によって、複数のアイテムアイコンのいずれかが、別のアイコンに重ね合わせ移動されたことを判別するステップと、２つのアイテムアイコンがドラッグ・アンド・ドロップ操作によって重ね合わせ移動された前あるいは後に入替コマンドの受け付けがあったときには、重ね合わせられた２つのアイテムアイコンの表示位置を入替表示するステップと、確定コマンドを受け付けたときには、画面表示を保存するステップとを少なくとも備えている。
【００１６】
また、第２の本発明である請求項５に記載の電子商取引システムにおける商品情報選択画面の編集方法は、販売者サーバに保存され、通信ネットワークを介して該販売者サーバにアクセスして来た購入者端末器にダウンロードさせて閲覧表示させるための商品情報選択画面を編集する方法であって、商品情報選択画面は、複数の行、列を有し、行、列のそれぞれに、それぞれが複数の分類条件に区分される２つの属性を割り付けて、それらの２つの属性の組み合わせで特定される桝目を２次元マトリクス状に配列し、それぞれの桝目に商品情報を表示した商品一覧表を含んでおり、商品情報選択画面を、商品情報選択画面内のレイアウトを設計、変更する編集モードに設定し、行、列のいずれかに割り付けた一方の属性を構成する分類条件のうちの１つの分類条件の行または列エリアを、ドラッグ・アンド・ドロップ操作によって、別の分類条件の行または列エリアに重ね合わせ移動させたときには、それぞれの分類条件に応じた複数商品の商品情報を、行または列エリア単位で入替表示させるようにしたことを特徴とする。
【００１７】
第２の本発明である請求項６に記載の電子商取引システムは、販売者サーバに保存され、通信ネットワークを介して該販売者サーバにアクセスして来た購入者端末器に商品情報選択画面をダウンロードによって閲覧表示させて、購入者の選択操作を受け付ける電子商取引システムであって、商品情報選択画面は、複数の行、列を有し、行、列のそれぞれに、それぞれが複数の分類条件に区分される２つの属性を割り付けて、それらの２つの属性の組み合わせで特定される桝目を２次元マトリクス状に配列し、それぞれの桝目に商品情報を表示した商品一覧表を含み、商品情報選択画面内のレイアウトを設計、変更する編集モードによって編集が可能になっており、編集モードでは、商品一覧表の、２つの属性のそれぞれを構成する分類条件で示される行または列エリアは、ドラッグ・アンド・ドロップ操作によって移動可能とされるとともに、商品情報選択画面内のレイアウトを設定、変更する編集モードに設定し、行、列のいずれかに割り付けた一方の属性を構成する分類条件のうちの１つの分類条件の行または列エリアを、ドラッグ・アンド・ドロップ操作によって、別の分類条件の行または列エリアに重ね合わせ移動させたときには、それぞれの分類条件に応じた複数商品の商品情報を、行または列エリア単位で入替表示させるようにしたことを特徴とする。
【発明の効果】
【００１８】
第１の本発明である請求項１〜４に記載の本発明によれば、商品情報選択画面を編集する際にドラッグ・アンド・ドロップ操作で、一方から別のアイテムアイコンに重ね合わせ移動させることで、画面内の商品情報一覧表の２つのアイテムアイコンを入れ替えるようにしているため、簡易に商品情報一覧表のレイアウト変更ができる。そのため、たとえば店舗の営業方針変更や季節変動によるレイアウト変更の要請があったときには、模様替えに長時間を要することがなく、システムメンテナンスにより購入者が利用できなくなる時間を最小限に抑えることができる。
【００１９】
また、商品情報一覧表の新規の生成時においても、ドラッグ・アンド・ドロップ操作を使用することで、レイアウト設計図面などを事前に準備することなく、アイテムアイコンを試行錯誤で入れ替えながらレイアウトを設定できる。
【００２０】
さらに、１回のドラッグ・アンド・ドロップ操作で同時に２つアイテムアイコンを入れ替える動作が実行されるので、上書きによるアイテムアイコンの消失などのトラブルが発生するおそれはない。
【００２１】
第２の本発明である請求項５または６に記載の本発明によれば、商品情報選択画面を編集する際にドラッグ・アンド・ドロップ操作で画面内の商品情報一覧表に配置された複数商品を行単位、列単位で入れ替えるようにしているため、簡易に商品情報選択画面の商品一覧表の配列変更ができる。たとえば売行きなどから判断して、行間、列間の複数商品の入替が簡単に行える。
【００２２】
また、商品一覧表の新規の生成時においても、ドラッグ・アンド・ドロップ操作を使用することで、レイアウト設計図面などを事前に準備することなく、試行錯誤で商品一覧表を生成できる。
【００２３】
さらに、１回のドラッグ・アンド・ドロップ操作で同時に２つの行エリアまたは列エリアを入れ替える動作が実行されるので、上書きによる商品データの消失などのトラブルが発生するおそれはない。
【発明を実施するための最良の形態】
【００２４】
以下に、第１、第２の本発明を実施するための最良の形態について、添付図面を参照しながら説明する。
【００２５】
図１は、本発明の実施形態の一例である電子商取引システムのシステム構成図である。
【００２６】
同電子商取引システム１は、インターネットなどの通信ネットワーク５を介して、販売者サーバ２と、パソコンなどの購入者側で使用される購入者通信端末機３、３・・・とを双方向通信可能に接続してなり、購入者側ユーザが通信端末機３を操作して販売者サーバ２をアクセスし、購入者のブラウザ操作に応じて、その通信端末機３に種々の画面の画面情報６をダウンロードし、商品の選択や発注ができるようにしたものである。
【００２７】
なお、この電子商取引システム１は、複数の企業、商店など（以下、店舗という。）が寄せ集まって販売者を構成する電子モールシステム、または特定の企業を販売者とした電子販売システムのいずれにも適用が可能であるが、本例では電子モールシステムに適用したものを示しており、図示するように、商品情報を登録したり、購入者向け画面を生成したり、在庫管理をしたりするための各店舗の通信端末機４、４・・・が通信ネットワーク５に接続されている。
【００２８】
販売者サーバ２は、Ｗｅｂサーバを含んで構成されており、購入者側のユーザが通信端末機３を操作してアクセスし、所望の画面をダウンロード要求してきたときには、そのアクセスしてきた通信端末機３にその画面情報６を送信し、さらに購入者ユーザが、ダウンロードした画面において注文などの所望の選択操作をしたときには、その操作にもとづいて送信してきた商品注文情報７などを受信する。
【００２９】
このように、本電子商取引システム１では、販売者サーバ２と購入者通信端末機３との間で、電子商取引に関する種々のデータの送受信が行われる。また、販売者サーバ２と店舗の通信端末機４との間でも、後述するように購入者向け画面生成などに関する種々のデータの送受信が行われる。
【００３０】
この電子商取引システム１は、販売者が階層構造の商品カテゴリに分類された商品を販売するために、商品を分類するためのすべての商品カテゴリの情報を保存したカテゴリマスターファイル１１と、すべての商品についての商品情報を保存した商品マスターファイル１２とを備えている。
【００３１】
これらカテゴリマスターファイル１１と商品マスターファイル１２とは、たとえばリレーショナルデータベースによって構成されていてもよく、上記２種のファイルがたとえば、階層構造にしたがった親子の関係となるように関連付けたデータベースとして生成されていてもよい。また同システム１は、各商品について在庫数を管理している在庫マスターファイル（不図示）なども備えている。
【００３２】
本発明システムの機能について、図２、図３を参照しながら説明する。図２は同システムの機能構成の例を示した図、図３は購入者向けの商品情報選択画面の階層構造の構造例を模式的に示した図、図４（ａ）、（ｂ）は商品カテゴリ選択画面、図５は商品選択画面の各一例を示した図である。なお本実施形態では、商品情報選択画面として、商品カテゴリ選択画面と商品選択画面を有している。
【００３３】
電子商取引システム１は、各店舗用のバックオフィス機能として、購入者向け画面の設計、生成と、その画面に表示させる商品カテゴリおよび商品の各情報の登録、変更とをできるようにした商品登録機能Ａ、各商品の在庫管理を目的とした在庫管理機能Ｂ、システムの管理・保守等を目的としたシステム管理機能Ｃなどを有する一方、購入者向けの機能として、商品カテゴリ選択機能Ｄ、２次元マトリクスの桝目状の商品一覧表で購入する商品を選択させるようにした商品選択機能Ｅ、購入者により選択されカートに格納された商品の情報を一覧表示して注文を受け付けるカート表示／注文機能Ｆ、すべての商品カテゴリと商品の階層構造を示した商品マップ表示機能Ｇなどを有している。商品マップ表示機能Ｇでは、たとえば図３に示した階層構造が表示される。
【００３４】
これら商品カテゴリ選択機能Ｄ、商品選択機能Ｅなどを構成する購入者向け各画面は、それらの画面ごとに編集モードに設定して、それぞれを個別に編集できるようになっており、それぞれの編集モード下で各画面について商品登録機能Ａを実行することができる。
【００３５】
以上の各機能は、ユーザ（販売者あるいは購入者）との間のユーザインターフェースとして、販売者サーバ２と通信ネットワーク５を介して接続された各端末で操作、表示される対話型の表示画面を含んでおり、それらの画面は、トップページＴの下位に位置付けられ、トップページＴよりリンクにより表示させることができる。なお、図面およびその説明では、各機能に対応した画面に、上記各機能の同一の符号を付している。
【００３６】
なお、バックオフィス機能は、本例のように電子モールシステムの場合は、通信ネットワーク５を介して接続された各店舗の通信端末機４のブラウザ表示画面を介して操作されるようにしているが、特定の企業が商品販売を行う電子販売システムにおいては、通信ネットワークを介さず、販売者サーバ２に直結された端末（不図示）で操作されるようにしてもよい。
【００３７】
また、上記各機能のユーザインターフェースは、表示画面による対話形式のものに限定されず、ＣＳＶデータなどのカード型データによるインターフェースであってもよい。
【００３８】
購入者向け画面のうち商品情報選択画面を構成する商品カテゴリ選択画面Ｄ、商品選択画面Ｅは、階層構造に設計することが可能となっており、図３の例に示すように、商品選択画面Ｅを、１または複数階層の商品カテゴリ選択画面Ｄ１、Ｄ２・・・の最下層に位置付けるように設けることができる。各店舗では、図３の例のように、大分類、中分類、小分類の３階層の商品カテゴリ選択画面Ｄ１、Ｄ２、Ｄ３の下位に位置付けられる商品選択画面Ｅや、大分類、中分類の２階層の商品カテゴリ選択画面Ｄ１、Ｄ２の下位に位置付けられる商品選択画面Ｅや、大分類の商品カテゴリ選択画面Ｄ１の直下に位置付けられる商品選択画面Ｅなどを種々混在させて設計することができる。
【００３９】
大分類の商品カテゴリ選択画面Ｄ１は、たとえば購入者向け画面のトップページＴ１に位置付けられ、たとえば図４（ａ）に示すように、その店舗で取り扱う衣料品の全商品を大分類で区分した複数の商品カテゴリが、桝目状の商品情報一覧表に配列されて表示される。この例では、商品情報一覧表としてカテゴリ配列テーブルｄ１０を示しており、このテーブルｄ１０は３行、４列の桝目状のテーブルよりなり、その各桝目にレディース、メンズ、ペア、子供、ベビーおよび特売の商品カテゴリ選択用にアイテムアイコンｄ１１が割り当てられている。
【００４０】
なお、商品カテゴリ選択画面Ｄのカテゴリ配列テーブルｄ１０は、桝目状に整列されているが、後述する商品選択画面Ｅの商品情報一覧表である商品一覧表ｅ２０（図５参照）のように、それぞれ分類条件で区分される２属性を行と列とに割り付けて、縦軸と横軸とで１つの桝目を特定するような２次元マトリクスではなく、商品カテゴリをランダムな順序で、ランダムな位置に割り当てることができるものである。
【００４１】
購入者が、上記大分類の商品カテゴリ選択画面Ｄ１に表示されたカテゴリ配列テーブルｄ１０の中から１つのアイテムアイコンｄ１１を操作すると、中分類の商品カテゴリ選択画面Ｄ２あるいは商品選択画面Ｅに表示が切り替わる。各店舗が図３に示すような種々の階層の関連付けを設定しているため、購入者が大分類の商品カテゴリ選択画面Ｄ１で、ある商品カテゴリを選択すれば、その商品カテゴリに設定された階層（関連付け）構造に応じた、中分類の商品カテゴリ選択画面Ｄ２、商品選択画面Ｅのいずれかに切り替わる。
【００４２】
図４、図５の例には、商品カテゴリがメンズ（大分類）、ポロシャツ（中分類）の２階層構造のものを例示している。図４（ａ）の大分類の商品カテゴリ選択画面Ｄ１でメンズが選択されると、図４（ｂ）に示すように、メンズ用の中分類の商品カテゴリ選択画面Ｄ２が表示され、その画面でポロシャツが選択されると、図５に示すように、ポロシャツの商品選択画面Ｅが表示される。
【００４３】
商品選択画面Ｅは、図５に示すように、最下層の商品カテゴリに属する複数の同一カテゴリ関連商品を、それぞれ複数の分類条件からなる２属性を行属性、列属性に割り付けた２次元マトリクス桝目状に配列させた商品一覧表ｅ２０を備えている。この商品一覧表ｅ２０は、２属性である行と列とで特定される商品桝目欄ｅ２３に、販売単価表示部ｅ２３１と、購入者に購入数などを入力させて選択操作させる選択操作部ｅ２３２とを配置させている。また商品選択画面Ｅは、さらにその商品カテゴリに含まれる商品群（同一カテゴリ関連商品）に共通する属性をまとめて表示した共通事項欄ｅ１０を有している。
【００４４】
なお、選択操作部ｅ２３２は購入数を入力させるために、数値入力枠を備えているが、購入数の入力を必要としないものでは、購入数入力枠に代えてアイテムアイコンを備えてもよい。このアイテムアイコンには、画像などで形成された選択ボタン、チェックボックス、ラジオボタンなども含まれる。
【００４５】
購入者が、この商品選択画面Ｅの商品桝目欄ｅ２３の選択操作部ｅ２３２で商品を選択し数量を入力し、合計ボタンｅ２４を操作すれば合計金額ｅ２５が表示され、「カートに入れる」ボタンｅ２６を操作すれば、その購入者のカート１６（図６参照）へ選択商品の情報が格納され、その後の注文操作でカートに格納された全商品の注文を確定させることができる。
【００４６】
このような購入者向けの商品カテゴリ選択画面Ｄに表示させる商品カテゴリの情報、および商品選択画面Ｅに表示させる商品の情報は、販売者である各店舗が個別に、商品登録機能Ａを利用して、登録できるようになっており、商品登録機能Ａは、各店舗で取り扱う商品を階層構造の画面構成に設計するための、購入者向け画面生成プログラムなどよりなる購入者向け画面生成手段１０（図６参照）を備えている。なお、商品登録機能Ａによって生成した主たるカテゴリ情報、商品情報は、カテゴリマスターファイル１１、商品マスターファイル１２に登録される。
【００４７】
商品カテゴリ、商品の情報が設定された購入者向けの画面Ｄ、Ｅは、販売者サーバ２で、ＨＴＭＬ、ＸＭＬ等のＷｅｂ画面用のページ記述言語によって記述される画面情報６として準備され、あるいは購入者より要求があったときに画面情報６として動的に生成され、購入者の通信端末機３では、通信端末機３に搭載したブラウザが、要求した画面の画面情報６をダウンロードして、その画面を表示する。
【００４８】
たとえば、購入者の通信端末機３より操作要求があったときには、販売者サーバ２は、ＣＧＩ（Ｃｏｍｍｏｎ  Ｇａｔｅｗａｙ  Ｉｎｔｅｒｆａｃｅ）またはＳＳＩ（Ｓｅｒｖｅｒ  Ｓｉｄｅ  Ｉｎｃｌｕｄｅ）を稼動させて、カテゴリマスターファイル１１や商品マスターファイル１２、在庫マスターファイル（不図示）などから可変情報を取り出し、購入者の通信端末機３に表示すべき商品カテゴリ選択画面Ｄや商品選択画面Ｅの画面情報６を動的に編集し、その画面情報６を要求があった通信端末機３に送出する。
【００４９】
図６は、電子商取引システム１の内部システム構成を示した図である。図１〜図５および本図にもとづいて、システムの処理概要について説明する。
【００５０】
図６中、１３は本システム１の商品カテゴリ選択画面Ｄ、商品選択画面Ｅを通じて実行される商品選択／カート格納処理、１４はカート表示／注文画面Ｆを通じて実行される選択商品一覧表示／注文受付処理、１０は編集モード下で、購入者向け画面のデザインファイル（不図示）などにデータを登録しながら画面の生成と、カテゴリマスターファイル１１、商品マスターファイル１２へのデータ設定、変更とをプログラムで行うようにした購入者向け画面生成手段である。
【００５１】
この購入者向け画面生成手段１０は、商品情報選択画面の編集プログラム１０Ａを有しており、この編集プログラム１０Ａは、商品カテゴリ選択画面Ｄを編集する際のカテゴリ入替手段１０Ａａ、商品選択画面Ｅを編集する際の商品入替手段１０Ａｂとして機能する。
【００５２】
さらに、１６は購入者の商品選択操作によって商品情報が一時的に記憶されるカート領域、１５は注文を受け付けた際に動作する受注処理を示している。なお、ユーザ登録機能、在庫管理機能、システム管理機能に関する処理や、通信処理、ブラウザなどは図示を省略している。
【００５３】
また、本システム１は、図１に示すように、販売者サーバ２、購入者通信端末機３、店舗の通信端末機４などを含んだ機器構成であり、これらの機器２、３に搭載されたＣＰＵ（不図示）やプログラムにもとづいて動作するものであるが、システムの動作は、これら機器の協働によってなされ、その役割分担は限定されないため、図６ではこれらの機器の図示は省略している。
【００５４】
購入者向け画面生成手段１０は、購入者向け画面生成プログラムなどを含んで構成され、図３に例示した各画面の画面レイアウトを設計しながら、商品カテゴリ情報や商品情報を各ファイルに対して登録、変更できるように、販売者サーバ２と店舗の通信端末機４との協働により構成されている。なお、購入者向け画面生成プログラムは、商品カテゴリと商品に対応して別プログラムで構成されてもよく、さらに購入者向け画面生成画面Ａの操作によるリアル処理と、夜間などに複数カテゴリ、複数商品について一括して実行されるバッチ処理とに区分され、それらを組み合わせて最終的な登録、変更ができるようにしてもよい。
【００５５】
なお本発明は、商品情報選択画面の編集プログラム１０Ａによる、購入者向け画面生成画面Ａにおける入替操作に特徴を有したもので、その操作およびシステムの動作については、カテゴリ入替手段１０Ａａと、商品入替手段１０Ａｂの基本動作とともに、図９〜図１４に後述する。
【００５６】
商品選択／カート格納処理１３は、購入者の通信端末機３で、多階層の商品カテゴリ選択画面Ｄを購入者に操作させながら所望の商品カテゴリの商品選択画面Ｅを表示させる。その商品選択画面Ｅでは、その商品カテゴリに含まれる商品群の複数の商品情報が、共通事項欄ｅ１０と桝目状の商品一覧表ｅ２０とによって表示され、購入者が商品一覧表ｅ２０の所望の商品の商品桝目欄ｅ２３に予定購入数を入力し合計算出操作をすると、数量入力された商品の合計金額を計算し表示し、さらにその後の購入者のカート格納操作により、選択した商品の情報をカート１６に格納する構成となっている。
【００５７】
一覧表示／注文受付処理１４は、購入者の通信端末機３に、購入者が選択したカート１６内商品の一覧を含むカート表示画面Ｆを表示させ、その画面で注文操作がされたときにカート１６に格納された商品の注文を受け付ける構成となっている。
【００５８】
受注処理１５は、一覧表示／注文受付処理１４により受け付けた注文情報にもとづいて、所定の受注に関する処理、たとえば、受注伝票の作成、在庫の確認などの処理を実行する。
【００５９】
また、カテゴリマスターファイル１１、商品マスターファイル１２は、少なくとも図７に示す項目を含んだデータレコードを含んで構成される。図７（ａ）はカテゴリマスターファイル１１のデータ構造、（ｂ）は商品マスターファイル１２のデータ構造を示したものである。
【００６０】
カテゴリマスターファイル１１は、商品カテゴリごとに区分され、商品カテゴリコード、商品カテゴリ名、上位の商品カテゴリコード、アイテムアイコン用の画像などの基本情報に加え、商品カテゴリ選択画面Ｄのカテゴリ配列テーブルｄ１０（図４参照）の表示位置に関する情報も含んでいる。
【００６１】
ここで、商品カテゴリコードは、商品カテゴリごとに一意なコードデータであり、階層が判断できるようなコード体系とすることが望ましく、たとえば大分類の商品カテゴリコードをＣ０１、Ｃ０２・・・、以下、中分類をＣ１１、Ｃ１２・・・、小分類をＣ２１、Ｃ２２・・・と定義すればよい。また、図７中の親カテゴリコードとは、当該商品カテゴリが属し、直上位に位置付けられた商品カテゴリの商品カテゴリコードを示しており、これによって上下層の関連付けが定義できる。なお、トップページに位置付けられる大分類の商品カテゴリの場合には、上位の商品カテゴリコードとして、たとえば「Ｃ００」などのダミー（トップ）カテゴリコードを定義しておけばよい。
【００６２】
商品マスターファイル１２は、商品ごとにレコード区分され、そのレコードには、商品コードと、その商品が属する親カテゴリコード、商品名（商品カテゴリ名）、画像、素材、販売単位などの当該カテゴリ内の共通事項ｅ１０の情報と、商品一覧表ｅ２０の行属性の分類区分、列属性の分類区分、桝目内に表示される販売単価、個別商品の画像などの個別情報と、商品選択画面Ｅの商品一覧表ｅ２０の表示位置情報とを含んでいる。なお本例では、行属性にサイズを、列属性に色を規定している。
【００６３】
ここで、商品コードは、商品ごとに一意なコードデータであり、商品一覧表ｅ１０の各商品桝目欄ｅ２３に割り付けられたすべての商品について付与される。
【００６４】
なお、上述するように、このようなカテゴリマスターファイル１１と商品マスターファイル１２とを有したファイル構成には限られず、他のファイル構成であってもよい。また、各ファイル内の構造も上記のものには限られず、商品カテゴリ階層を他の方式、他のデータ構造により関連付けるものでもよい。
【００６５】
図８は商品カテゴリ選択画面Ｄの生成手順の一例を示した図、図９は商品カテゴリ選択画面Ｄのカテゴリ入替手順の一例を示した図である。また図１０は、カテゴリ入替動作を示すフローチャートである。
【００６６】
以下、これらの図面とともに、適宜、図１〜図７を参照しながら、商品情報選択画面の編集プログラム１０Ａを含む購入者向け画面生成手段１０の動作について説明する。
【００６７】
なお、商品カテゴリ選択画面Ｄ、商品選択画面Ｅなどの購入者向け画面を生成するための生成画面Ａは、本例では、それらの購入者向け画面Ｄ、Ｅに１対１に対応し、かつ、それらの購入者向け画面Ｄ、Ｅに表示される項目も、ほぼ１対１に対応している。そのため、添付図面には、生成画面Ａにおける画面内の項目については、購入者向け画面Ｄ、Ｅのものと同一の符号を付している。
【００６８】
商品カテゴリ選択画面Ｄの生成（新規登録）、変更登録は、購入者向け画面生成手段１０を稼動して表示された生成画面Ａ１との対話形式で行われ、生成画面Ａ１において画面の種々のレイアウト設計ができるとともに、その画面設計において入力した商品カテゴリデータのカテゴリマスターファイル１１への登録も行える。
【００６９】
具体的には次に説明するように、所望の画面ごとに購入者向け画面生成手段１０を稼動させて編集モードに設定し、生成画面Ａ１を呼び出して、その画面上で、桝目状のカテゴリ配列テーブルｄ１０を生成し、商品カテゴリを識別するためのアイテムアイコンｄ１１などを各桝目に割り付けることによって行う。
【００７０】
すなわち、購入者向け画面生成手段１０は、図８に示すように、カテゴリ配列テーブルｄ１０を構成する桝目の行数ａ１１、列数ａ１２の入力を受け付け、入力された行数、列数で定まる桝目内が空白のカテゴリ配列テーブルｄ１０を表示させ、その後、購入者が、個々の桝目に対し、アイテムアイコンｄ１１として画像などを取り込んで貼り付けるとともに、さらに他の属性情報（たとえば商品カテゴリコード、商品カテゴリ名など）を入力していくことで、カテゴリ配列テーブルｄ１０が生成される。
【００７１】
次に画面内の保存ボタンａ１３が操作されると、購入者向け画面生成手段１０は、カテゴリ配列テーブルｄ１０の各桝目に配列された商品カテゴリの画像よりなるアイテムアイコンｄ１１等の情報を、テーブル内位置情報とともに販売者サーバ２のカテゴリマスターファイル１１に登録する。
【００７２】
以上の画面生成の動作は、ＣＳＶデータなどのカード型データの入力によってなされてもよい。カード形式、対話形式のいずれにも対応させておけば、たとえば、新規に生成する場合はＣＳＶデータによって行い、その後の修正を対話形式によって行える。
【００７３】
そして、カテゴリマスターファイル１１に登録済みの商品カテゴリを、カテゴリ配列テーブルｄ１０上に再表示させてテーブル内の表示位置を入替変更する場合は、購入者向け画面生成手段１０は、図９に示すように、カテゴリマスターファイル１１にもとづいてカテゴリ配列テーブルｄ１０を表示し、購入者が、設定された複数のアイテムアイコンｄ１１のうちの任意の第１のアイテムアイコンｄ１１（＃１）を、任意の第２のアイテムアイコンｄ１１（＃２）に重ねるようにドラッグ・アンド・ドロップ操作をすると、第１のアイテムアイコンｄ１１（＃１）と、第２のアイテムアイコンｄ１１（＃２）とを入れ替える動作を実行する。
【００７４】
すなわち、編集プログラムＡによる編集方法では、図１０のステップ１０１から１０４に示すように、編集モードが選択されると、複数のアイテムアイコンｄ１１のいずれかがマウスのドラッグによって、別のアイコンｄ１１に重ね合わせ移動されて、それを判別すると、重ね合わせられた２つのアイテムアイコンｄ１１の表示位置を入替表示し、確定コマンドであるマウスのドロップを受け付けたときには、画面表示を確定し、その後の保存操作がされると、入替変更がなされた内容を保存するようにしている。
【００７５】
さらに図９を参照しながら詳細に説明すると、カテゴリ入替手段１０Ａａ（編集プログラムＡ）は、ドラッグ・アンド・ドロップ操作をしたときには店舗の通信端末機４のＷｅｂブラウザ側で動作し、ドラッグ・アンド・ドロップ操作がされたときに、マウスでつかんだ第１のアイテムアイコンｄ１１（＃１）の表示位置と、マウスでドラッグして第２のアイテムアイコンｄ１１（＃２）に重ねてドロップした表示位置とを入れ替えて記憶し、その表示位置を入れ替えて記憶したアイテムアイコンｄ１１を表示させる動作を実行する。次に保存操作がなされると、カテゴリ入替手段１０Ａａは、販売者サーバ２側で動作し、図１０（ｂ）に示すように、入替変更がなされた後のカテゴリ配列テーブルｄ１０の内容をカテゴリマスターデータファイル１１に保存する。
【００７６】
なお本例では、ドラッグ・アンド・ドロップ操作でアイテムアイコンを入替表示するようにしているが、より安全に操作させるために、ドラッグ移動してドロップする前の状態でキー操作などの入替コマンドを受け付けて入替表示を確定させるようにしてもよいし、または、キー操作などの入替コマンドを受け付けてから、あるいは機能キーを押した（長押し）状態で、ドラッグ・アンド・ドロップ操作することで入替表示を確定させるようにしてもよい。
【００７７】
なお、カテゴリ入替操作は、設計、生成されたカテゴリ配列テーブルｄ１０内で行うようにしてもよいが、操作がしやすいように、画像などが貼り付けられて表示サイズの大きくなったテーブルに代えて、商品カテゴリ間で識別可能な、文字などによる簡易な仮アイテムアイコンを各桝目に割り付けたコンパクトなモデルテーブル（不図示）に表示切替して、そのモデルテーブル内で入替操作をできるようにしてもよい。
【００７８】
このように、カテゴリ入替手段１０Ａａなどの編集プログラム１０Ａを含む購入者向け画面生成手段１０の動作は、Ｗｅｂブラウザ（店舗の通信端末機４）と販売者サーバ２との協働によってなされるが、それぞれの役割分担の上記の例には限定されない。また、保存ボタンａ１３を設けずに、ドラッグ・アンド・ドロップ操作だけで、販売者サーバ２のカテゴリマスターファイル１１の情報を書き換えるようにしてもよい。
【００７９】
図９の例では、まず１行目の左端に配置した「レディース」アイコンｄ１１（＃１）と、２行目の左端に配置した「ベビー」アイコンｄ１１（＃２）とをドラッグ・アンド・ドロップ操作で入れ替え、次に１行目の中央に配置した「メンズ」アイコンｄ１１（＃１）と、１行目の右端に配置した「子供」アイコンｄ１１（＃２）とをドラッグ・アンド・ドロップ操作で入れ替えて、全体のレイアウトを変更している。
【００８０】
この状態で保存ボタンａ１１が操作されると、上記の商品カテゴリ生成時と同様に、カテゴリ配列テーブルｄ１０の各桝目に配列された商品カテゴリの画像等の属性情報が、その変更された位置情報とともに販売者サーバ２のカテゴリマスターファイル１１に登録（上書き）される。
【００８１】
このように、ドラッグ・アンド・ドロップ操作でアイテムアイコンｄ１１を入れ替えるカテゴリ入替手段１０Ａａ（編集プログラムＡ）を備えているため、商品カテゴリ選択画面Ｄのカテゴリ配列テーブルｄ１０のレイアウト変更が簡易に行える。店舗の営業方針変更や季節変動によるレイアウト変更の要請があったとき、短時間で変更操作が行える。
【００８２】
また、カテゴリ配列テーブルｄ１０の新規生成時においても、ドラッグ・アンド・ドロップ操作によるカテゴリ入替手段１０Ａａを使用すれば、レイアウト設計図面などを事前に準備することなく、アイテムアイコンｄ１１を試行錯誤で入れ替えながらレイアウトを設定できる。
【００８３】
さらに、１回のドラッグ・アンド・ドロップ操作で同時に２つのアイテムアイコンｄ１１を入れ替える動作が実行されるので、アイテムアイコンｄ１１の消失などはほとんど発生しない。つまり、カテゴリ入替手段１０Ａａによれば、ドラッグ・アンド・ドロップ操作によって上書き動作がなされないため、ドロップ側のアイテムアイコンｄ１１が上書きされて消されてしまうことはない。
【００８４】
また、商品カテゴリ選択画面Ｄのカテゴリ配列テーブルｄ１０の各桝目には、アイテムアイコンｄ１１の他に、その商品カテゴリ選択画面Ｄの下位に位置する商品カテゴリ選択画面Ｄおよび商品選択画面Ｅの生成画面Ａへのリンクボタン（不図示）が設けられており、そのボタンを操作することで、それらの購入者向け画面Ｄ、Ｅを連続して生成することができる。なお、いったんそれらの画面を生成して上下関係を関連付けた後は、登録された下位のリンクボタンを有効なボタンとして表示する。
【００８５】
商品カテゴリ選択画面Ｄの生成後にこのリンクボタンを操作すれば、引き続いて下位の商品カテゴリ選択画面Ｄまたは商品選択画面Ｅの生成画面を表示させて、画面を生成、変更することができる。
【００８６】
図１１は、商品カテゴリ選択画面の生成画面の他例を示した図である。本図例は、商品カテゴリ選択画面が図７の例のような桝目状のカテゴリ配列テーブルｄ１０を有さず、商品カテゴリのアイテムアイコンｄ１１を画面上に不規則に並べたものである。
【００８７】
カテゴリ入替手段１０Ａａ（編集プログラムＡ）は、このような例においても、図１１に示すように、ドラッグ・アンド・ドロップ操作でアイテムアイコンｄ１１の入替を可能としている。なお、図８、図９と同一の構成については、同一の符号を付して、その説明は省略する。
【００８８】
次に、商品選択画面Ｅの生成および変更手順について説明する。
【００８９】
図１２は商品選択画面Ｅの生成手順の一例を示した図、図１３は商品選択画面Ｅの商品入替手順の一例を示した図である。また図１４は、商品入替動作を示すフローチャートである。
【００９０】
以下、これらの図面とともに、適宜、図１〜図７を参照しながら、商品情報選択画面の編集プログラムＡを含む購入者向け画面生成手段１０の動作について説明する。
【００９１】
商品選択画面Ｅの生成、変更は、購入者向け画面生成手段１０を稼動して表示された生成画面Ａ２との対話形式で行われ、生成画面Ａ２において画面の種々のレイアウト設計ができるとともに、その画面設計とともに入力した商品情報の商品マスターファイル１２への登録も行える。
【００９２】
具体的には次に説明するように、所望の画面ごとに購入者向け画面生成手段１０を稼動させて、生成画面Ａ２を呼び出して、その画面上で、それぞれ複数の分類条件に区分された行、列の２属性からなる２次元マトリクスの桝目状の商品一覧表ｅ２０を生成し、行属性欄、列属性欄およびマトリクス内の商品桝目欄ｅ２３に販売単価、画像などを割り付けることによって行う。
【００９３】
すなわち、購入者向け画面生成手段１０は、図１２に示すように、生成しようとする商品選択画面Ｅに表示すべき商品群（同一カテゴリ関連商品）に共通する共通事項ａ２１と、商品一覧表ｅ２０の商品桝目欄ｅ２３の行数ａ２２、列数ａ２３の入力を受け付け、入力された共通事項ａ２１を共通事項欄ｅ１０に表示させ、入力された行数ａ２２、列数ａ２３にもとづく空白の商品一覧表ｅ２０を表示させ、その後、購入者が、行属性欄ｅ２１、列属性欄ｅ２２の分類区分に分類条件ｅ２１１、ｅ２２１を入力し、さらに個々の桝目に対し、必要に応じて画像などを取り込んで貼り付けるとともに、販売単価ｅ２３１やその他の個別の商品属性を入力していくことで、商品群の登録された商品一覧表ｅ２０が生成される。
【００９４】
図１２、１３には、サイズと色とで分類されるメンズポロシャツを例示しており、サイズは行属性ｅ２１に割り付けられ、その行項目にはＳ、Ｍ、Ｌ、ＬＬの４分類条件ｅ２１１が割り付けられている一方、色は列属性ｅ２２に割り付けられ、その列項目には白、青、赤、柄の４分類条件ｅ２２１が割り付けられている。図例では、商品桝目欄ｅ２３には販売単価ｅ２３１のみを図示しており、商品画像などの他の情報は図示を省略している。なお図１３には、共通事項の図示を省略している。
【００９５】
また、購入数の入力により商品を選択させる選択操作部ｅ２３２（図５参照）は、生成画面Ａ２では所望のサイズの入力枠を生成できるようにしてもよいが、購入者通信端末機３に画面表示させるときに、購入者が入力するための全桝目欄に共通の購入数入力枠を動的に編集してもよい。
【００９６】
次に画面内の保存ボタンａ２４が操作されると、購入者向け画面生成手段１０は、共通事項ｅ１０および商品一覧表ｅ２０に入力された各商品の属性情報を、その位置情報とともに販売者サーバ２の商品マスターファイル１２に登録する。
【００９７】
以上の画面生成の動作は、ＣＳＶデータなどのカード型データの入力によってなされてもよい。
【００９８】
そして、商品マスターファイル１２に登録済みの商品を、商品一覧表ｅ２０上に再表示させて表示位置を入替変更する場合は、購入者向け画面生成手段１０は、図１３に示すように、商品マスターファイル１２にもとづいて共通事項ｅ１０（図１３には不図示）と商品一覧表ｅ２０を表示し、購入者が、任意の第１の行エリアａ２５（＃１）を、任意の第２の行エリアａ２１（＃２）に重ねるようにドラッグ・アンド・ドロップ操作をすると、商品入替手段１０Ａｂを稼動させて、第１の行と第２の行との間で、行単位でエリア内の複数商品についての商品情報を入れ替える動作を実行する。また、任意の第１の列エリアａ２６（＃１）を、任意の第２の列エリアａ２６（＃２）に重ねるようにドラッグ・アンド・ドロップ操作をすると、商品入替手段１０Ａｂを稼動させて、第１の列と第２の列との間で、列単位でエリア内の複数商品についての商品情報を入れ替える動作を実行する。
【００９９】
すなわち、編集プログラムＡによる編集方法では、図１４のステップ２０１〜０４に示すように、商品入替手段１０Ａｂは、ドラッグ・アンド・ドロップ操作をしたときにはＷｅｂブラウザ側で動作し、ドラッグ・アンド・ドロップ操作がされたときに、マウスでつかんだ第１の行（列）エリアａ２１（＃１）の表示位置と、マウスでドラッグして第２の行（列）エリアａ２１（＃２）に重ねてドロップした表示位置とを入れ替えて記憶し、その表示位置を入れ替えて記憶した行エリアａ２１を表示させる動作を実行し、次に保存操作がなされると、商品入替手段１０Ａｂは、販売者サーバ２側で動作し、入替変更がなされた後の商品一覧表ｅ２０の内容を商品マスターファイル１２に登録するようにしている。
【０１００】
さらに要約すると、編集モードでは、商品一覧表ｅ２０の、２つの属性のそれぞれを構成する分類条件で示される行または列エリアは、入替コマンドの入力によって移動可能とされるとともに、入替コマンドによって、行、列のいずれかに割り付けた一方の属性を構成する分類条件のうち２つを選択操作したときには、それぞれの分類条件に応じた複数商品の上記商品情報を、行または列エリア単位で入替表示させるようにしている。この入替コマンドとしては、ドラッグ・アンド・ドロップ操作が含まれるが、ドラッグ操作と他のキー操作の組み合わせであってもよい。
【０１０１】
なお、商品入替操作は、カテゴリ入替操作と同様に、商品間で識別可能な簡易な情報を割り付けたモデルテーブル内で入替操作をできるようにしてもよい。
【０１０２】
このように、商品入替手段１０Ａｂを含む購入者向け画面生成手段１０の動作は、Ｗｅｂブラウザ（購入者通信端末機３）と販売者サーバ２の協働によってなされるが、それぞれの役割分担は上記の例には限定されない。また、保存ボタンａ２４を設けずに、ドラッグ・アンド・ドロップ操作だけで、販売者サーバ２の商品マスターファイル１２の情報を書き換えるようにしてもよい。
【０１０３】
図１３の例では、まず列属性の分類条件「青」と分類条件「白」の各列エリアａ２６（＃１）、ａ２６（＃２）をドラッグ・アンド・ドロップ操作で入れ替え、次に行属性の分類条件「Ｌ」と分類条件「Ｓ」の各行エリアａ２５（＃１）、ａ２５（＃２）をドラッグ・アンド・ドロップ操作で入れ替えて、商品一覧表ｅ２０内の配列を変更している。
【０１０４】
なお、ドラッグする第１の行エリアａ２５（＃１）、列エリアａ２６（＃１）の位置と、ドロップする第２の行エリアａ２５（＃２）、列エリアａ２６（＃２）の位置は、エリア内のいずれでもよく、つまりエリア内の一部が重なるように操作すればよい。もちろん、行または列の分類条件欄ｅ２１１、ｅ２２１同士をドラッグ・アンド・ドロップする構成としてもよいし、行または列に配置された桝目欄の範囲指定した複数商品同士をドラッグ・アンド・ドロップする構成としてもよいが、２次元マトリクス状の商品一覧表ｅ２０では行単位または列単位の入替以外は想定されないため、操作性を考慮すれば、上記のような行エリアａ２５、列エリアａ２６内の一部を重ねるような操作とすることが望ましい。
【０１０５】
このように、ドラッグ・アンド・ドロップ操作で商品一覧表ｅ２０に配置された複数商品を行単位、列単位で入れ替える商品入替手段１０Ａｂを備えているため、簡易に商品選択画面Ｅの商品一覧表ｅ２０の配列変更ができる。たとえば、店舗の営業方針変更や季節変動による配列変更の要請があったとき、短時間で変更操作が行える。たとえば売行きなどから判断して、図１２の例のように、通常、売れ筋であるサイズ「Ｌ」を第１行に移動することが簡単に行える。
【０１０６】
特に、１回のドラッグ・アンド・ドロップ操作で、行または列の複数商品同士を入れ替える構成であるため、操作の利便性はきわめて高い。
【０１０７】
また、商品一覧表ｅ２０の初期の生成時においても、ドラッグ・アンド・ドロップ操作による商品入替手段１０Ａｂを使用すれば、レイアウト設計図面などを事前に準備することなく、試行錯誤で商品一覧表を生成できる。
【０１０８】
さらに、１回のドラッグ・アンド・ドロップ操作で同時に行または列を入れ替える動作が実行されるので、商品データの消失などのミスはほとんど発生しない。つまり、商品入替手段１０Ａｂによれば、ドラッグ・アンド・ドロップ操作によって上書き動作がなされないため、上書きされて商品データが消されてしまうことがない。
【０１０９】
なお、たとえば、首回り、ゆき丈の２属性で商品が特定される商品カテゴリが「カッターシャツ」の商品カテゴリの場合、購入者の画面の見やすさを考慮すれば、行属性、列属性ともに、分類条件を昇順あるいは降順に並べることが望ましいが、そのような商品一覧表の場合でも、商品入替手段１０Ａｂを稼動させて商品入替を行ってもよい。つまり、たとえば、首回りの分類条件を、商品入替手段１０Ａｂを使用して、一般的な昇順の並びから、「４２ｃｍ」、「４０ｃｍ」、「４４ｃｍ」、「３８ｃｍ」・・・というような売行き順などによる不規則な並びに変更することもできる。
【０１１０】
以上のように本実施形態では、２次元マトリクス状の商品一覧表ｅ２０の行エリアまたは列エリア単位の入替を示したが、上述の商品カテゴリ選択画面Ｄにおけるカテゴリ配列テーブルｄ１０と同様に、商品に関するアイテムアイコンを、ランダムな順序で、ランダムな位置に割り当てるようにした商品一覧表の場合においても、ドラッグ操作による入替を可能とする。その場合には、上述のカテゴリ配列テーブルｄ１０のアイテムアイコンの入替と同様の編集方法、編集プログラムによって実現される。
【０１１１】
また、商品カテゴリ選択画面を有さない商品選択画面のシステム構成についても、上記の２通りの編集方法、編集プログラムを適用できる。
【図面の簡単な説明】
【０１１２】
【図１】本発明の実施形態の一例である電子商取引システムのシステム構成図である。
【図２】同システムの機能構成の一例を示した図である。
【図３】同システムの購入者向けの商品カテゴリ選択画面、商品選択画面の階層構造の構成の一例を示した図である。
【図４】（ａ）、（ｂ）は購入者の通信端末機に表示される商品カテゴリ選択画面の一例を示した図である。
【図５】購入者の通信端末機に表示される商品選択画面の一例を示した図である。
【図６】同システムの内部システム構成を示した図である。
【図７】（ａ）はカテゴリマスターファイルのデータ構造、（ｂ）は商品マスターファイルのデータ構造を示した図である。
【図８】商品カテゴリ選択画面の生成手順の一例を示した図である。
【図９】商品カテゴリ選択画面のカテゴリ入替手順の一例を示した図である。
【図１０】カテゴリ入替動作を示すフローチャートである。
【図１１】商品カテゴリ選択画面の生成手順の他例を示した図である。
【図１２】商品選択画面の生成手順の一例を示した図である。
【図１３】商品選択画面の商品入替手順の一例を示した図である。
【図１４】商品入替動作を示すフローチャートである。
【符号の説明】
【０１１３】
１      電子商取引システム
２      販売者サーバ
３      購入者通信端末機
４      店舗の通信端末機
５      通信ネットワーク
６      画面情報
１０      購入者向け画面生成手段
１０Ａ      商品情報選択画面の編集プログラム
１０Ａａ      カテゴリ入替手段
１０Ａｂ      商品入替手段
１１      カテゴリマスターファイル
１２      商品マスターファイル
Ｄ      商品カテゴリ選択画面
ｄ１０      カテゴリ配列テーブル
ｄ１１      アイテムアイコン
Ｅ      商品選択画面
ｅ１０      共通事項
ｅ２０      商品一覧表
ｅ２１      行属性
ｅ２２      列属性
ｅ２１１、ｅ２２１      分類条件
ｅ２３      商品桝目欄
ｅ２３１      販売単価表示部
ｅ２３２      選択操作部
Ａ      商品登録機能（画面）
Ａ１      商品カテゴリ選択画面の生成画面
Ａ２      商品選択画面の生成画面
ａ２５      行エリア
ａ２６      列エリア
【図１】
0005114181.tif 000002
【図２】
0005114181.tif 000003
【図３】
0005114181.tif 000004
【図４】
0005114181.tif 000005
【図５】
0005114181.tif 000006
【図６】
0005114181.tif 000007
【図７】
0005114181.tif 000008
【図８】
0005114181.tif 000009
【図９】
0005114181.tif 000010
【図１０】
0005114181.tif 000011
【図１１】
0005114181.tif 000012
【図１２】
0005114181.tif 000013
【図１３】
0005114181.tif 000014
【図１４】
0005114181.tif 000015